(57)【要約】【課題】インターネットの如きネットワークを媒体とした、より広告効果の高い広告方法を提供する。【解決手段】広告情報提供サーバ２００において、情報提供者端末１００から提供された発言情報中のキーワードに対応した広告情報が発言情報に埋め込まれ、一般閲覧者端末３００に送信される。埋め込まれた広告情報が一般閲覧者端末３００において閲覧されると、情報提供者端末１００の情報提供者にインセンティブが付与されるため、情報提供者が広告提供ビジネスに参加することが可能となる。【選択図】図１
2007241558.tif 000002
【特許請求の範囲】
【請求項１】
ネットワークを経由して広告情報をネットワーク上の一般閲覧者に対し提供する広告情報提供装置であって、
情報提供者が利用する情報提供者端末から、該情報提供者端末を識別する情報提供者識別情報を含む発言情報を、ネットワークを経由して受信する送受信部と、
前記発言情報から前記情報提供者識別情報を抽出する情報提供者識別情報抽出部、
予め指定された所定の広告情報に関連付けられたキーワードが前記発言情報に存在する場合、前記発言情報から前記キーワードを抽出するキーワード抽出部と、
抽出された前記キーワードに関連付けられた前記広告情報を、抽出された前記情報提供者識別情報と関連付けた上で受信した前記発言情報に埋め込み、広告情報埋め込み済発言情報を生成する広告情報埋め込み部と、
前記広告情報埋め込み済発言情報を、前記広告情報埋め込み済発言情報にアクセスする一般閲覧者が利用する一般閲覧者端末に、ネットワークを経由して送信する発言情報送信部と、
前記一般閲覧者端末において、前記広告情報埋め込み済発言情報に埋め込まれた前記広告情報が閲覧された場合、前記一般閲覧者端末から、閲覧された前記広告情報に関連付けられた前記情報提供者識別情報を、ネットワークを経由して受信する閲覧広告情報受信部と、
を備える広告情報提供装置。
【請求項２】
請求項１記載の広告情報提供装置であって、
前記送受信部は、閲覧された前記広告情報に関連付けられた前記情報提供者識別情報の情報提供者端末に、ネットワークを経由してインセンティブ付与通知を送信する広告情報提供装置。
【請求項３】
請求項１又は２記載の広告情報提供装置であって、
各情報提供者端末と、前記一般閲覧者端末において閲覧された広告情報を関連付けて記憶する履歴情報テーブルを更に備える広告情報提供装置。
【請求項４】
請求項３記載の広告情報提供装置であって、
前記履歴情報テーブルは、各情報提供者端末と、前記一般閲覧者端末において閲覧された広告情報と、当該広告情報の閲覧回数とを関連付けて記憶する広告情報提供装置。
【請求項５】
請求項３記載の広告情報提供装置であって、
前記閲覧広告情報受信部は、前記一般閲覧者端末において、閲覧された前記広告情報の広告対象が購入された場合、前記一般閲覧者端末から、前記広告対象が購入された旨を通知する広告対象購入通知を、ネットワークを経由して受信し、
前記履歴情報テーブルは、情報提供者端末と、前記広告対象購入通知を関連付けて記憶する広告情報提供装置。
【請求項６】
広告情報提供装置によって、ネットワークを経由して広告情報をネットワーク上の一般閲覧者に対し提供する広告方法であって、前記広告情報提供装置が、
情報提供者が利用する情報提供者端末から、該情報提供者端末を識別する情報提供者識別情報を含む発言情報を、ネットワークを経由して受信するステップと、
前記発言情報から前記情報提供者識別情報を抽出するステップと、
予め指定された所定の広告情報に関連付けられたキーワードが前記発言情報に存在する場合、前記発言情報から前記キーワードを抽出するステップと、
抽出された前記キーワードに関連付けられた前記広告情報を、抽出された前記情報提供者識別情報と関連付けた上で受信した前記発言情報に埋め込み、広告情報埋め込み済発言情報を生成するステップと、
前記広告情報埋め込み済発言情報を、前記広告情報埋め込み済発言情報にアクセスする一般閲覧者が利用する一般閲覧者端末に、ネットワークを経由して送信するステップと、
前記一般閲覧者端末において、前記広告情報埋め込み済発言情報に埋め込まれた前記広告情報が閲覧された場合、前記一般閲覧者端末から、閲覧された前記広告情報に関連付けられた前記情報提供者識別情報を、ネットワークを経由して受信するステップと、
を実行するネットワークを経由した広告方法。
【請求項７】
請求項６記載のネットワークを経由した広告方法であって、
前記広告情報提供装置が、閲覧された前記広告情報に関連付けられた前記情報提供者識別情報の情報提供者端末に、ネットワークを経由してインセンティブ付与通知を送信するステップを更に実行するネットワークを経由した広告方法。
【請求項８】
ネットワークを介して接続された情報提供者端末と、広告情報提供装置と、一般閲覧者端末とから構成された広告情報提供システムであって、
前記情報提供者端末が、当該情報提供者端末を識別する情報提供者識別情報を含む発言情報を、前記広告情報提供装置に送信するとともに、
前記広告情報提供装置が、受信した前記発言情報中のキーワードに対応した広告情報を、当該発言情報内に埋め込み、広告情報埋め込み済発言情報を生成し、前記広告情報埋め込み済発言情報を前記一般閲覧者端末に送信するとともに、
前記一般閲覧者端末が、一般閲覧者の操作に対応して、前記広告情報埋め込み済発言情報に埋め込まれた前記広告情報を表示するとともに、
さらに前記広告情報提供装置が、前記一般閲覧者端末から、前記一般閲覧者端末において表示された前記広告情報に対応した前記キーワードを含む発言情報を提供した情報提供者端末を識別する情報提供者識別情報を受信し、識別された前記情報提供者端末へ、所定のインセンティブを付与する旨の通知であるインセンティブ付与通知を送信する、広告情報提供システム。
【請求項９】
ネットワークを介して接続された情報提供者端末と、広告情報提供装置と、一般閲覧者端末とから構成された広告情報提供システムが実行する広告方法であって、
前記情報提供者端末が、当該情報提供者端末を識別する情報提供者識別情報を含む発言情報を、前記広告情報提供装置に送信するステップを実行し、
前記広告情報提供装置が、
受信した前記発言情報中のキーワードに対応した広告情報を、当該発言情報内に埋め込み、広告情報埋め込み済発言情報を生成するステップと、
前記広告情報埋め込み済発言情報を前記一般閲覧者端末に送信するステップと、を実行し、
前記一般閲覧者端末が、一般閲覧者の操作に対応して、前記広告情報埋め込み済発言情報に埋め込まれた前記広告情報を表示するステップを実行し、
さらに前記広告情報提供装置が、
前記一般閲覧者端末から、前記一般閲覧者端末において表示された前記広告情報に対応した前記キーワードを含む発言情報を提供した情報提供者端末を識別する情報提供者識別情報を受信するステップと、
識別された前記情報提供者端末へ、所定のインセンティブを付与する旨の通知であるインセンティブ付与通知を送信するステップと、を実行するネットワークを経由した広告方法。
【発明の詳細な説明】
【技術分野】
【０００１】
本発明は、インターネットの如きネットワークを媒体とした広告方法並びに当該広告方法を実施する広告情報提供装置に関するものである。
【背景技術】
【０００２】
近年、インターネットの普及及び利用人口の増大に伴い、情報検索のみならず、インターネットを利用した種々のサービス、ビジネスが提供されるようになってきている。これらの１つに、インターネットを利用した広告がある。
【０００３】
インターネットを利用した広告としては、広告主が自己のホームページを開設し、訪れた顧客に対し自らの商品・サービスを認知してもらうことが考えられる。しかしながら、最近は、チャットシステム、情報検索、電子掲示板等の各種サービスを提供する集客数の多いサイトのホームページの目立つ所にバナーと呼ばれる小さな画像を表示し、より多くの顧客に自らの商品・サービスをアピールする形式の広告が主流となっている。また、この広告方法の変形例として、この広告画像をクリックすると、広告主のＷｅｂサイトにジャンプする仕組みのバナー広告、ホームページとは別の小さなウィンドウを開き、その中に広告を掲載するポップアップ広告、ホームページの検索Ｗｅｂで、キーワードで検索した際に、そのキーワードに関連して広告がいっしょに表示されるキーワード検索付随広告などが知られている。
【０００４】
さらには、チャット等の如きユーザーが会話を行なうサイトにおいて、会話に登場した言葉が予め用意した言葉と一致した場合、ユーザーに対し、当該言葉に関連性のある商品・サービスの広告を提供するシステムも提供されてきている。
【０００５】
例えば、特許文献１には、チャットシステムを利用したインターネット上の情報提供方法が開示されている。この方法では、チャットシステムに参加したユーザーの発言中のキーワードと、広告主が予め用意したキーワードが合致した場合、キーワード又は発言に対応した広告情報をユーザーに提供する。
【０００６】
また、特許文献２においても、掲示板・チャットサイトに参加するユーザーに対し、広告主が用意した単語が、掲示板・チャットサイトの話題に出現したとき、ユーザーがクリックすることのできる、当該単語に関連したリンク広告を表示するシステムが開示されている。
【０００７】
また、特許文献３には、チャットに入力された語句に対する関連情報を表示するシステムが開示されている。
【特許文献１】特開２００１−１８４２８９号公報
【特許文献２】特開２００１−２３６３５０号公報
【特許文献３】特開２０００−１９４７２８号公報
【発明の開示】
【発明が解決しようとする課題】
【０００８】
上述したように、インターネットの如きネットワークを媒体として用いる広告方法には種々のものが提案されているが、より一層効果的な広告方法が、今なお模索され続けている。
【０００９】
本発明は、こうした事情に鑑みて創案したものであり、ネットワークを媒体とした広告方法を提供し、また、その方法を実行して効果的な広告を提供する広告情報提供装置を提供することを目的としている。
【課題を解決するための手段】
【００１０】
本発明は、ネットワークを経由して広告情報をネットワーク上の一般閲覧者に対し提供する広告情報提供装置であって、当該装置は、情報提供者が利用する情報提供者端末から、該情報提供者端末を識別する情報提供者識別情報を含む発言情報を、ネットワークを経由して受信する送受信部と、前記発言情報から前記情報提供者識別情報を抽出する情報提供者識別情報抽出部、予め指定された所定の広告情報に関連付けられたキーワードが前記発言情報に存在する場合、前記発言情報から前記キーワードを抽出するキーワード抽出部と、抽出された前記キーワードに関連付けられた前記広告情報を、抽出された前記情報提供者識別情報と関連付けた上で受信した前記発言情報に埋め込み、広告情報埋め込み済発言情報を生成する広告情報埋め込み部と、前記広告情報埋め込み済発言情報を、前記広告情報埋め込み済発言情報にアクセスする一般閲覧者が利用する一般閲覧者端末に、ネットワークを経由して送信する発言情報送信部と、前記一般閲覧者端末において、前記広告情報埋め込み済発言情報に埋め込まれた前記広告情報が閲覧された場合、前記一般閲覧者端末から、閲覧された前記広告情報に関連付けられた前記情報提供者識別情報を、ネットワークを経由して受信する閲覧広告情報受信部とを備える。
【００１１】
本発明によれば、閲覧された広告情報の元となった発言情報を提供した、一般消費者である情報提供者の情報が、広告情報提供装置に提供されることとなる。提供された情報を元に、情報提供者にインセンティブ付与等の利益を与えることが可能となり、ひいては、一般消費者をも広告提供ビジネスに参加させることが可能となる。
【００１２】
また、前記送受信部が、閲覧された前記広告情報に関連付けられた前記情報提供者識別情報の情報提供者端末に、ネットワークを経由してインセンティブ付与通知を送信するように、広告情報提供装置を構成してもよい。これにより、情報提供者がインセンティブの付与を自覚することができるので、広告提供ビジネスに対するより強いモチベーションを与えることが可能となる。また、インセンティブ付与通知の送信に際し、メールで送信するだけでなく、ログイン機能を儲けてそこでインセンティブの管理ができるようにしてもよい。例えばインセンティブが付与されるたびにメールを受け取るのはわずらわしいため、このような状況を嫌うユーザにはＷｅｂ上でログインして現在のインセンティブ状況を管理閲覧できるようにすることが好ましい。また、この管理画面は、複数の掲示板やチャットシステムなど、このシステムを利用している利用者が一括管理できるように構成されるのが好ましい。
【００１３】
また、各情報提供者端末と、前記一般閲覧者端末において閲覧された広告情報を関連付けて記憶する履歴情報テーブルを更に広告情報提供装置に設けてもよい。さらには、前記履歴情報テーブルが、各情報提供者端末と、前記一般閲覧者端末において閲覧された広告情報と、当該広告情報の閲覧回数とを関連付けて記憶するよう、前記履歴情報テーブルを構成してもよい。これにより、各情報提供者が提供した情報に基づく広告情報への一般閲覧者のアクセス状況を記録することが可能となり、インセンティブ付与等に際しての参考に役立てることができる。
【００１４】
さらに、前記閲覧広告情報受信部が、前記一般閲覧者端末において、閲覧された前記広告情報の広告対象が購入された場合、前記一般閲覧者端末から、前記広告対象が購入された旨を通知する広告対象購入通知を、ネットワークを経由して受信し、前記履歴情報テーブルが、情報提供者端末と、前記広告対象購入通知を関連付けて記憶するよう広告情報提供装置を構成してもよい。これにより、広告対象の購入となった広告情報を提供した情報提供者にはより高いインセンティブを付与することが可能となる。
【００１５】
更に本発明は、広告情報提供装置によって、ネットワークを経由して広告情報をネットワーク上の一般閲覧者に対し提供する広告方法であって、前記広告情報提供装置が、情報提供者が利用する情報提供者端末から、該情報提供者端末を識別する情報提供者識別情報を含む発言情報を、ネットワークを経由して受信するステップと、前記発言情報から前記情報提供者識別情報を抽出するステップと、予め指定された所定の広告情報に関連付けられたキーワードが前記発言情報に存在する場合、前記発言情報から前記キーワードを抽出するステップと、抽出された前記キーワードに関連付けられた前記広告情報を、抽出された前記情報提供者識別情報と関連付けた上で受信した前記発言情報に埋め込み、広告情報埋め込み済発言情報を生成するステップと、前記広告情報埋め込み済発言情報を、前記広告情報埋め込み済発言情報にアクセスする一般閲覧者が利用する一般閲覧者端末に、ネットワークを経由して送信するステップと、前記一般閲覧者端末において、前記広告情報埋め込み済発言情報に埋め込まれた前記広告情報が閲覧された場合、前記一般閲覧者端末から、閲覧された前記広告情報に関連付けられた前記情報提供者識別情報を、ネットワークを経由して受信するステップとを実行するネットワークを経由した広告方法を提供する。本発明によっても、情報提供者にインセンティブ付与等の利益を与えることが可能となり、ひいては、一般消費者をも広告提供ビジネスに参加させることが可能となる。
【００１６】
更に本発明は、ネットワークを介して接続された情報提供者端末と、広告情報提供装置と、一般閲覧者端末とから構成された広告情報提供システムが実行する広告方法であって、前記情報提供者端末が、当該情報提供者端末を識別する情報提供者識別情報を含む発言情報を、前記広告情報提供装置に送信するステップを実行し、前記広告情報提供装置が、受信した前記発言情報中のキーワードに対応した広告情報を、当該発言情報内に埋め込み、広告情報埋め込み済発言情報を生成するステップと、前記広告情報埋め込み済発言情報を前記一般閲覧者端末に送信するステップと、を実行し、前記一般閲覧者端末が、一般閲覧者の操作に対応して、前記広告情報埋め込み済発言情報に埋め込まれた前記広告情報を表示するステップを実行し、さらに前記広告情報提供装置が、前記一般閲覧者端末から、前記一般閲覧者端末において表示された前記広告情報に対応した前記キーワードを含む発言情報を提供した情報提供者端末を識別する情報提供者識別情報を受信するステップと、識別された前記情報提供者端末へ、所定のインセンティブを付与する旨の通知であるインセンティブ付与通知を送信するステップと、を実行する。さらにはこのような広告方法を実施する広告情報提供システムをも提供する。
【発明の効果】
【００１７】
本発明によれば、情報提供者にも、閲覧された広告情報の基礎となった発言情報に応じ、インセンティブを付与することが可能となるため、情報提供者も広告提供ビジネスに参加することができるようになる。従って、より広告効果の高い広告方法が提供される。
【発明を実施するための最良の形態】
【００１８】
以下、図面を参照して本発明の実施形態を詳細に説明する。図１は、本発明のネットワークを媒体とした広告方法の概念及び広告情報提供システムを示す。図１に示すように、本発明の広告情報提供システムは、ネットワークであるインターネットを介して接続された情報提供者端末１００と、広告情報提供装置としての広告情報提供サーバ２００と、一般閲覧者端末３００とから構成されている。以下、本発明によって提供される広告方法の概要を述べる。
【００１９】
本発明の広告方法において、まず情報発信のトリガとなるのは、チャットシステム、情報検索、電子掲示板等の各種サービスを提供するサイトのホームページにアクセスする情報提供者である。情報提供者は、自らの情報提供者端末１００を用いて、サイトに自らの発言である発言情報を送信する。発言情報は主として文字情報より構成されるが、音声データ、画像データ等の非文字データを含むものであってもよい。
【００２０】
発言情報送信の際、本発明においては、情報提供者を識別する識別情報（情報提供者識別情報）が、発言情報に含められている。そこで、当該発言情報を受信した、サイトを管理する広告情報提供サーバ２００は、当該識別情報に基づき、情報提供者を特定することができる。さらに、広告情報提供サーバ２００は、所定のキーワードが発言情報内に存在するか否か判定する。このキーワードは、予め指定された所定の広告情報に関連付けられている。
【００２１】
そして、広告情報提供サーバ２００は、サイト内の所定の前記発言情報にアクセスを試みる一般閲覧者が存在する場合、当該発言情報を、情報提供者の識別情報と関連付けられた広告情報とともに、一般閲覧者の一般閲覧者端末３００にインターネットを経由して送信する。通常、広告情報は、発言情報内に埋め込まれた形式で送信される。
【００２２】
そして、一般閲覧者が、発言情報に埋め込まれた広告情報を閲覧した場合、一般閲覧者端末３００から、閲覧された広告情報に関連付けられた情報提供者識別情報が、インターネットを経由して、広告情報提供サーバ３００に送信される。
【００２３】
広告情報の広告主と、広告情報提供サーバの管理者である、サイト運営者との間では、広告情報の閲覧の回数、時間等の如き閲覧量に基づいて、広告主からサイト運営者にインセンティブが付与される所定の広告掲示契約が取り交わされている。従って、一般閲覧者が、発言情報に埋め込まれた広告情報を閲覧した場合、広告情報の広告主から、サイト運営者に所定のインセンティブが付与される。
【００２４】
さらに、情報提供者とサイト運営者の間では、広告サービス提供入会契約が取り交わされている。この広告サービス提供入会契約は、情報提供者の発言情報が、上述したような広告情報提供に使用されることを、情報提供者がサイト運営者に対し許可するとともに、当該発言情報に基づき、関連した広告情報が一般閲覧者により閲覧された場合、所定のインセンティブが、サイト運営者から情報提供者に付与される旨の契約である。
【００２５】
インセンティブが付与された際、サイト運営者から情報提供者にその旨の通知（インセンティブ付与通知）を行なうことが考えられる。しかしながら、このインセンティブ付与通知を常に行なう必要はない。例えば、広告情報提供サーバ３００に所定の情報提供者のみがログインできるログイン機能を設け、ログイン可能な情報提供者のみが管理されたインセンティブを閲覧することができるような構成を採ることができる。例えばインセンティブ付与されるたびにメールを受け取るのはわずらわしいため、このような状況を嫌うユーザにはＷｅｂ上でログインして現在のインセンティブ状況を管理閲覧できるようにするのが望ましい。例えば掲示板書き込みの場合、書き込みには書き込み内容のほかハンドル名、メールアドレス等情報提供者の識別情報が入力されるのが一般的であるため、これを基にインセンティブを管理することができる。
【００２６】
また、広告情報提供サーバ３００にインセンティブ付与メール（通知）送付チェックボックスを設け、チェックされたメールアドレスに対してのみインセンティブ付与通知メールを送付するようにしてもよい。（インセンティブ管理は契約成立後Ｗｅｂ上で管理できるようになる）デフォルトでチェックを入れておくと、集客効果があると考えられる。インセンティブ発生の際のメールには、インセンティブが発生した旨とこのインセンティブを受け取るには契約が必要になる、というメッセージを届けることも考えられる。
【００２７】
従って、本発明においては、広告情報の広告主から、サイト運営者に所定のインセンティブが付与されるのみならず、サイト運営者から情報提供者に所定のインセンティブが付与されることになる（図１の「インセンティブ付与１」）。また、その旨の通知（インセンティブ付与通知）が、広告情報提供サーバ２００から、情報提供者端末に１００に送信される。尚、上記広告掲示契約及び／又は広告サービス提供入会契約に、広告主から情報提供者に直接インセンティブが付与される（図１の「インセンティブ付与２」）旨の条項を、盛り込むことも可能である。
【００２８】
従って、サイト運営者と広告主のみが参加する既存のインターネットを活用した広告方法とは異なり、本発明においては、情報送信者も情報発信源として、広告提供ビジネスに参加することが可能となる。共通のサイトを閲覧する者は、趣味、嗜好等が共通することが多いため、インターネットを経由した一種の口コミ効果に基づく広告宣伝効果を期待することが可能となる。
【００２９】
次に本発明の構成、手順の詳細を説明する。図２は、広告情報提供装置を構成する広告情報提供サーバ２００の構成を示すブロック図である。広告情報提供サーバ２００は、送受信部２０１と、キーワード抽出部２０２と、情報提供者識別情報抽出部２０３と、広告情報取得部２０４と、広告情報管理部と２０５と、広告対象キーワード蓄積部２０６と、広告情報埋め込み部２０７と、発言情報送信部２０８と、閲覧広告情報受信部２０９と、履歴情報テーブル蓄積部２１０とを含む。本実施形態では、広告情報提供装置は、インターネットの如きネットワーク上で各種のサービスを提供しているコンピュータとしてのサーバより構成されている。もちろん「広告情報提供サーバ」は本発明の広告情報提供装置の一実施形態にすぎない。
【００３０】
送受信部２０１は、インターネットを経由して、情報提供者端末１００との間で、発言情報、インセンティブ付与通知を送受信する。キーワード抽出部２０２は、受信した発言情報から、所定のキーワードを抽出する。情報提供者識別情報抽出部２０３は、受信した発言情報に含まれる情報提供者識別情報を抽出する。広告情報取得部２０４は、キーワード抽出部２０２により抽出されたキーワードに関連した広告情報を取得する。
【００３１】
広告情報管理部２０５は、広告主の依頼に基づき、サイト運営者が掲載する広告情報を管理する部分であり、広告上の存在場所を示すＵＲＬ（Uniform Resource Locator）、広告情報の実体そのもの等を管理する。広告対象キーワード蓄積部２０６は、掲示すべき広告情報に対応したキーワードを蓄積する。キーワードと広告情報とが一対一に関係付けられる場合もあるが、一つの広告情報に複数のキーワードが関連付けられている場合や、一つのキーワードに複数の広告情報が関連付けられる場合もある。
【００３２】
広告情報埋め込み部２０７は、発言情報に、抽出されたキーワードに対応した広告情報を埋め込み、広告情報埋め込み済発言情報を生成する。発言情報送信部２０８は、インターネットを経由して、一般閲覧者端末３００に、生成された広告情報埋め込み済発言情報を送信する。閲覧広告情報受信部２０９は、一般閲覧者端末３００から、閲覧された広告情報に関連付けられた情報提供者識別情報を含む選択広告情報を、ネットワークを経由して受信する。履歴情報テーブル蓄積部２１０は、情報提供者識別情報、対応する広告情報等の履歴を既述した履歴情報テーブルを蓄積する。
【００３３】
図３は、上述した履歴情報テーブル蓄積部２１０に蓄積された、履歴情報テーブルの例を示す。この例では、履歴情報テーブルには、情報提供日時と、情報提供者識別情報と、広告掲載場所（広告情報）と、クリック回数と、商品購入数量が記述されている。この履歴情報テーブルにおいては、各情報提供者（端末）と、一つのみならず複数の一般閲覧者端末において閲覧された広告情報が関連付けられて記憶される。すなわち、一般閲覧者が受信した発言情報中の広告情報を選択・閲覧した場合、広告情報提供サーバ２００は、当該広告情報のよりどころとなった発言情報の情報提供者端末の情報を蓄積しておき、インセンティブ付与の際に活用する。
【００３４】
図３の一番目の例では、２００５年４月５日の１２時２分に、情報提供者識別情報として「12.234.23.234」の番号が割り当てられた情報提供者から発言情報が得られている。この発言情報内の所定のキーワードは、広告情報としてのインターネット上の広告掲載場所を示す「http://www.sashimi-bbs.com」 のＵＲＬと、広告対象キーワード蓄積部２０６において関連付けられており、この広告情報が、一般閲覧者端末においてこれまで合計２０回クリックされている。２０回クリックされたということは、２０回選択・閲覧されたということが推定され、インセンティブ付与の基準として使用され得る。
【００３５】
さらに本例においては、閲覧された広告情報の広告対象である商品、サービスが購入された場合、実際に購入に至った数量の合計も記述されている。上記の例では「２」である。すなわち、一般閲覧者が、広告対象を閲覧した後、当該広告対象を購入すると、一般閲覧者端末３００から、広告対象が購入された旨を通知する広告対象購入通知が送信され、広告情報提供サーバ２００が当該通知をネットワークを経由して受信し、履歴情報テーブルに、情報提供者端末と関連付けて記述、記憶する。ここでは、一般閲覧者が、商品・サービスをサイト運営者のサーバ上で購入した場合と、広告主のサーバ上で購入した場合の双方が考慮されている。
【００３６】
図４は、一般閲覧者端末３００の構成を示すブロック図である。一般閲覧者端末３００は、発言情報受信部３０１と、発言情報・広告情報表示部３０３と、広告情報選択部３０２と、閲覧広告情報送信部３０４とを含む。
【００３７】
発言情報受信部３０１は、広告情報提供サーバ２００の発言情報送信部２０８から、インターネットを経由して送信された広告情報埋め込み済発言情報を受信する。発言情報・広告情報表示部３０３は液晶ディスプレイ等通常のディスプレイにより構成され、受信した広告情報埋め込み済発言情報を表示するとともに、広告情報選択部３０２により選択された広告情報を表示する。広告情報選択部３０２は、利用者である一般閲覧者により操作されるキー、ボタン等の操作部より構成され、一般閲覧者の操作に従い、広告情報埋め込み済発言情報に埋め込まれた広告情報を選択する。閲覧広告情報送信部３０４は、表示され、閲覧された広告情報の情報提供者等の情報を含む閲覧広告情報を、インターネットを経由して、広告情報提供サーバ２００の閲覧広告情報受信部２０９に送信する。
【００３８】
図５は、一般閲覧者端末３００の発言情報・広告情報表示部３０３に表示された発言情報の例を示す。図５（ａ）は、発言情報表示部として画面が機能している例を示し、チャットシステムに発言を投稿した情報提供者である、吉田、木村、山田の三名の発言情報が表示されている。本例において各々の発言情報には、広告情報提供サーバ２００の広告対象キーワード２０６において、所定の広告情報と関連付けられたキーワードが存在する。吉田の発言情報においては「刺身」、木村の発言情報においては「刺身」と「新宿」、山田の発言情報においては「居酒屋」のキーワードが各々含まれている。
【００３９】
そして、一般閲覧者が、広告情報選択部３０２を用いて、発言者吉田の「刺身」の部分をクリックすると、図５（ｂ）に示すように刺身に関する広告情報が次の画面に現れる。同様に、発言者山田の「居酒屋」の部分をクリックすると、図３（ｃ）に示すように居酒屋に関する広告情報が次の画面に現れる。すなわち、ここでは、広告情報表示部として画面が機能している。
【００４０】
図６は、本発明による広告方法の手順を示すフローチャートである。まず、情報提供者が、所定のサイトにその発言を書き込むため、情報提供者端末１００を操作することにより、情報提供者端末１００が発言情報を送信する（ステップＳ１０１）。発言情報は一般には文字情報（テキスト情報）データより構成されるが、音声データ、静止画像データ、動画像データより構成することも可能である。また、本発明において発言情報には、情報提供者を識別するための情報提供者識別情報が含められる。情報提供者識別情報としては、一般的なインターネットメールにおいて使用されるメールアドレス、掲示板等のサイトへの書き込みやインターネット電話の如きＶｏＩＰ（Voice over Internet Protocol）で使用されるＩＰ（Internet Protocol）アドレス、テレビ電話において使用される電話番号等、各種のものが使用されるが、情報提供者を特定できるものならば特に限定はされない。情報提供者識別情報の発明情報への含ませ方、埋め込み方には以下のようなものがあるが、特に限定はされない。
【００４１】
・ＩＰアドレスをキー変換し、掲示板書き込みのヘッダまたはフッダに埋め込む（ｍｅｔａタグを埋め込んでもよい）。
・ＩＰアドレスをそのまま掲示板書き込み内容のヘッダまたはフッタに埋め込む。
・テキストメールの場合、メールアドレスを個人認証キーに変換し、広告ＵＲＬに当該個人認証キーを埋め込む。
【００４２】
次に、広告情報提供サーバ２００は、インターネットを経由して情報提供者端末１００から送信された発言情報を、送受信部２０１にて受信し（ステップＳ１０２）、情報提供者識別情報抽出部２０３が、受信した発言情報から情報提供者識別情報を抽出する（ステップＳ１０３）。さらに、キーワード抽出部２０２が、受信した発言情報からキーワードを抽出する（ステップＳ１０４）。
【００４３】
次いで、広告情報管理部２０５が、抽出されたキーワードと、広告対象キーワード蓄積部に蓄積された、広告情報・キーワード対応情報に基づき、キーワードに関連した広告情報を、キーワードと関連付けた上で、広告情報取得部２０４に通知する。さらに広告情報取得部２０４は、広告情報埋め込み部２０７に、キーワードと関連付けられた広告情報を通知する。そして、広告情報埋め込み部２０７は、キーワードと関連付けられた広告情報を、発言情報に埋め込み（ステップＳ１０５）、広告情報埋め込み済発言情報が生成される。発言情報送信部２０８は、生成された広告情報埋め込み済発言情報を、インターネットを経由して、当該発言情報の閲覧を要求した一般閲覧者の一般閲覧者端末３００に送信する（ステップＳ１０６）。
【００４４】
上述したステップＳ１０５における広告情報の、発言情報への埋め込み方法には以下のようなものがあるが、特に限定はされない。下記に示したように、埋め込まれる広告情報としては、広告情報そのもののみならず、広告情報自体を他の箇所（他のＵＲＬ等）から取寄せ、この他の箇所へのリンクのみを含む形式のものも含まれる。
【００４５】
・発言情報中のキーワードの箇所に、広告情報へのリンク（ハイパーリンク）を埋め込む。
・キーワードにカーソルを当てる、選択する等の操作により、内容自体がポップアップする形で広告情報を埋め込む。
・キーワードの箇所に、バナーとして埋め込む（画像は広告主から取得する）。
・広告情報をメールに添付する（ＨＴＭＬ、テキスト等）。
【００４６】
次に、一般閲覧者端末３００の発言情報受信部３０１が、インターネットを経由して、広告情報提供サーバ２００から送信された広告情報埋め込み済発言情報を受信する（ステップＳ１０７）。すると、発言情報・広告情報表示部３０３に、広告情報埋め込み済発言情報が表示され、一般閲覧者が、広告情報埋め込み済発言情報を閲覧する（ステップＳ１０８）。このときの画面は、図５（ａ）に相当する。さらに、一般閲覧者が、広告情報埋め込み済発言情報中の広告情報が埋め込まれた部分を広告情報選択部３０２用いて選択することにより（マウスでクリック、キーで選択等）、広告情報が発言情報・広告情報表示部３０３に表示され、一般閲覧者は広告情報を閲覧する（ステップＳ１０９）。このときの画面は、図５（ｂ），５（ｃ）に相当する。この例では、広告情報を発言情報とは別画面に表示した例を示したが、上述したように、広告情報がポップアップする形式を採用してもよい。
【００４７】
そして、一般閲覧者が広告情報を閲覧したため、当該閲覧の事実が、閲覧広告情報という形式で、閲覧広告情報送信部３０４から、インターネットを経由して広告情報提供サーバ２００へ送信される（ステップＳ１１０）。この閲覧広告情報は、その情報の発信源である情報提供者を特定する情報提供者識別情報を少なくとも含んでいる。例えば、図５（ｂ）の場合、発言者すなわち、情報提供者は吉田であり、吉田の端末を特定する情報提供者識別情報が少なくとも含まれた状態で、閲覧広告情報が送信される。さらに一般閲覧者が、閲覧広告の広告対象である商品・サービスを購入した場合、購入の事実、購入数量を示す広告対象購入通知が、閲覧広告情報に含められ、送信される。
【００４８】
広告情報提供サーバ２００の閲覧広告情報受信部２０９は、一般閲覧者端末３００から送信された閲覧広告情報を受信する（ステップＳ１１１）。さらに本例では、送受信部２０１が情報の発信源である情報提供者端末１００へ、インセンティブ付与通知を送信する（ステップＳ１１２）。図５（ｂ）の場合、吉田の情報提供者端末へインセンティブ付与通知が送信される。
【００４９】
尚、ステップＳ１１１の後、すなわち、閲覧広告情報を受信する度、情報提供者識別情報が抽出されるともに、履歴情報テーブル蓄積部に蓄積された履歴情報テーブル（図３）に蓄積され、またクリック回数（閲覧回数）にカウントされる。また、広告対象購入通知が閲覧広告情報に存在する場合、商品・サービスの購入数量が履歴情報テーブルに蓄積される。そして、履歴情報テーブルは常に更新され、一般閲覧者により閲覧された広告情報を提供した情報提供者の情報（クリック回数、商品・サービス購入数量）が、常に最新のものに維持され、情報提供者へのインセンティブ付与に用いられることとなる。
【００５０】
そして、情報の提供源である情報提供者端末１００が、広告情報提供サーバ２００からインターネットを経由して送信されるインセンティブ付与通知を受信する（ステップＳ１１３）。これにより、情報提供者は、自らの発言情報が広告源として利用され、インセンティブが自らに付与されたことを自覚することができる。従って、情報提供はより積極的に、一般閲覧者に閲覧されるであろう広告情報を意識して、情報発信をするようになり、口コミによる広告効果を期待することができるようになる。
【００５１】
尚、情報の提供、広告の閲覧に応じて、情報提供者にインセンティブを付与する方法としては、閲覧回数等に応じたポイントをカウントし、該情報提供者が商品、サービスを購入した際、ポイントに応じて商品、サービスの価格を割り引くことが考えられる。また、ポイントに応じた金額を情報提供者に与えてもよい（口座振込み等による）。
【００５２】
また、情報提供者には、埋め込まれた広告情報が一般閲覧者により選択され、広告が閲覧された際にインセンティブが付与されるが、埋め込まれた広告情報の商品、サービスが購入された際、より高いインセンティブが付与されるように、インセンティブ付与の方法を変形してもよい（図３の履歴情報テーブルを使用）。また、情報提供者が、発言情報を送信する際、キーワードを強調表示したり、タイトルに用いたりした場合、より高いインセンティブを付与するようにしてもよい。
【００５３】
また、サイトの運営者に対しても、インセンティブを付与するようにしてもよい。すなわち、広告主との広告掲示契約（図１参照）において、一般閲覧者による広告情報の閲覧、商品・サービスの購入があった場合、広告主から運営者に対し、所定のインセンティブが付与される旨の条項を設定してもよい。また、本発明による広告情報の提供サービスを一部使用する業にもインセンティブが付与されるような契約を、当該業者と交わすようにすることもできる。
【００５４】
また、本発明において、広告情報提供サーバ２００に情報を提供し、かつ広告方法提供サーバ２００から情報を発信する媒体としては、実施の形態で説明したインターネットメールがあるが、このインターネットメールは、携帯電話間のメールも通常のパーソナルコンピュータ（ＰＣ）間のメールをも含む。携帯電話のメールの場合、メール料金の割引をインセンティブの付与にすることもできるし、通常のＰＣの場合、プロバイダ接続料金の割引をインセンティブの付与にすることもできる。
【００５５】
また、広告情報提供サーバ２００によって実現されるサイトとしては、多数の人間が閲覧するチャットシステム、電子掲示板等の書き込み掲示板、情報検索サイト等がある。さらには、ブログ、ＳＮＳ（Social Networking Site）、Ｗｉｋｉ等においても、本発明の広告情報提供方法は使用され得る。このようなサイトの運営者は、通信キャリア会社、インターネットプロバイダ、その他一般のホームページ運営者を含む。
【００５６】
特にＳＮＳのように、参加者が互いに友人を紹介しあって、新たな友人関係を広げることを目的に開設されたコミュニティ型のサイトの場合、知人同士の情報交換がなされることが多いため、口コミによる大きな広告宣伝効果を期待することができる。また、ＳＮＳの運営者が上述したような通信キャリア会社、インターネットプロバイダ等の他のサイト運営者と協力してＳＮＳを運営する場合、個人（会員）識別をＳＮＳ運営者が行い、広告情報埋め込みを単のサイト運営者が行う場合もある。
【００５７】
また、各種情報を組織的、大々的に発信するニュースサイトの場合、ニュース記事に広告情報を埋め込むことができる（ＨＴＭＬ埋め込み）。この場合、ニュースサイトの運営会社自身が、情報提供者になり得る。一般閲覧者がニュースに埋め込まれた広告を閲覧した場合、インセンティブは広告主からニュースサイト会社へ付与される。この場合、情報提供者とサイト運営者は実質同じとなるが、このような場合も本発明に含まれる。
【００５８】
また、携帯電話、テレビ電話を情報送信・受領媒体として使用する場合、通話音声中からキーワードを少なくとも含む会話の一部を拾い出し、電話機の画面に表示させることも可能である。この場合、サーバには音声認識装置が必要になる。送話者の発した音声に含まれるキーワードに対し、それに関連付けられた広告情報が、送話者、受話者のもつ画面に表示される。
【００５９】
また、一定時間に何度も（所定回数以上）同じ一般閲覧者がキーワードをクリックし続けたような場合は、何らかの悪意があるものとみなして、インセンティブ付余分としてカウントしないようにすることもできる。また、あきらかに無意味にインセンティブ対象キーワードを並べたものや、悪意ある評価とみなされるような内容にはペナルティを付加することも出来る(付与済みインセンティブの取り消しなど)。
【００６０】
また、広告情報の割り当てが終了したキーワードを、総てのユーザ（情報提供者、一般閲覧者を含む）に対し公開することもできる。公開することにより、次に情報提供者は、未だ広告情報の割り当てが終了していないキーワードを選んで、広告効果のあるような内容の発言情報を発信する傾向を示すことが期待される。
【００６１】
また、一つのキーワードに対応した広告情報は、一つのウィンドウ（表示部）に複数表示され得る（図５（ｂ）、図５（ｃ）で複数表示）が、ウィンドウが小さく、総てが収まりきらない場合、最も入札額の多い広告情報が優先されるようにしてもよい。もちろん、ランダムに選択された広告情報が表示されるようにしてもよい。
【００６２】
以上述べたように、既存発明とは異なり、本発明によれば情報提供者にもインセンティブを付与することが可能な技術が提供されるため、情報提供者も広告提供ビジネスに参加することができるようになる。情報提供者は、他の一般閲覧者による広告情報の閲覧につながることを意識し、発言情報を発信するようになるため、いわゆる一般消費者を宣伝活動に巻き込むことが可能となる。さらには、近しい知人の発信する情報による口コミ効果を期待することができる。また、情報提供者の識別が可能なため、悪意のある広告が流れにくくなる。
【００６３】
以上、本発明の各種実施形態を説明したが、本発明は前記実施形態において示された事項に限定されず、明細書の記載、並びに周知の技術に基づいて、当業者がその変更・応用することも本発明の予定するところであり、保護を求める範囲に含まれる。
【産業上の利用可能性】
【００６４】
本発明は、インターネットの如きネットワークを媒体とした広告方法を提供するものであり、特に一般の情報提供者もが広告提供ビジネスに参加することが可能となるものであり、高い広告効果を提供するものである。
【図面の簡単な説明】
【００６５】
【図１】本発明のネットワークを媒体とした広告方法の概念及び広告情報提供システムの図。
【図２】広告情報提供サーバの構成を示すブロック図。
【図３】広告情報提供サーバの履歴情報テーブル蓄積部に蓄積された履歴情報テーブルの例。
【図４】一般閲覧者端末３００の構成を示すブロック図。
【図５】一般閲覧者端末の発言情報表示部に表示された発言情報の例。
【図６】本発明による広告方法の手順を示すフローチャート。
【符号の説明】
【００６６】
１００      情報提供者端末
２００      広告情報提供サーバ
２０１      送受信部
２０２      キーワード抽出部
２０３      情報提供者識別情報抽出部
２０４      広告情報取得部
２０５      広告情報管理部
２０６      広告対象キーワード蓄積部
２０７      広告情報埋め込み部
２０８      発言情報送信部
２０９      閲覧広告情報受信部
２１０      履歴情報テーブル蓄積部
３００      一般閲覧者端末
３０１      発言情報受信部
３０２      広告情報選択部
３０３      発言情報・広告情報表示部
３０４      閲覧広告情報送信部
【図１】
2007241558.tif 000003
【図２】
2007241558.tif 000004
【図３】
2007241558.tif 000005
【図４】
2007241558.tif 000006
【図５】
2007241558.tif 000007
【図６】
2007241558.tif 000008